(57)【特許請求の範囲】
【請求項１】
無線信号の受信制御を行う無線受信装置において、
受信した無線信号を増幅し、増幅信号を生成する無線信号増幅手段と、
局部発振信号と、前記増幅信号とをミキシングして、前記無線信号を無線周波数から中間周波数へ変換し、中間周波信号を生成する周波数変換手段と、
前記中間周波信号の低周波側を周波数帯の上方へ、かつ高周波側を周波数帯の下方へ反転する周波数反転制御手段を含み、前記中間周波信号の周波数制御を行う周波数制御手段と、
前記周波数制御手段からの出力側に設けられたＡＣ結合手段と、
前記ＡＣ結合手段からの出力信号を復調する無線信号復調手段と、
を有することを特徴とする無線受信装置。
【請求項２】
前記周波数制御手段は、前記中間周波信号として、中心周波数がゼロのゼロＩＦ信号の周波数制御を行うことを特徴とする請求項１記載の無線受信装置。
【請求項３】
前記周波数反転制御手段は、二重平衡混合器と、ローカルオシレータと、低域通過フィルタと、位相補償器と、から構成されることを特徴とする請求項１記載の無線受信装置。
【請求項４】
前記低域通過フィルタは、遮断周波数における傾きがゼロである矩形フィルタであることを特徴とする請求項３記載の無線受信装置。
【請求項５】
前記低域通過フィルタは、遮断周波数における傾きがゼロでない傾斜フィルタであることを特徴とする請求項３記載の無線受信装置。
【請求項６】
無線信号の通信制御を行う無線通信システムにおいて、
信号を変調して無線信号を送信する無線送信装置と、無線受信装置とから構成される無線基地局と、
前記無線送信装置と、前記無線受信装置とから構成される移動通信機と、
を備え、
前記無線受信装置は、
受信した前記無線信号を増幅し、増幅信号を生成する無線信号増幅手段と、
局部発振信号と、前記増幅信号とをミキシングして、前記無線信号を無線周波数から中間周波数へ変換し、中間周波信号を生成する周波数変換手段と、
前記中間周波信号の低周波側を周波数帯の上方へ、かつ高周波側を周波数帯の下方へ反転する周波数反転制御手段を含み、前記中間周波信号の周波数制御を行う周波数制御手段と、
前記周波数制御手段からの出力側に設けられたＡＣ結合手段と、
前記ＡＣ結合手段からの出力信号を復調する無線信号復調手段とから構成される、
ことを特徴とする無線通信システム。
【発明の詳細な説明】
【０００１】
技術分野
本発明は無線受信装置及び無線通信システムに関し、特に無線信号の受信制御を行う無線受信装置及び無線信号の通信制御を行う無線通信システムに関する。
【０００２】
背景技術
ディジタル変調方式では、搬送波の位相を変化させるＰＳＫ（Phase Shift Keying：位相変調）が一般に用いられている。ＰＳＫは、ＡＳＫ（Amplitude Shift Keying：振幅変調）に比べて、同一の符号誤り率に対し、最も小さいＣ／Ｎ（搬送波対雑音電力比）ですむ（雑音に強い）という特長を持っている。
【０００３】
また、近年では、ゼロＩＦ（Intermediate Frequency：中間周波数）方式と呼ばれる無線受信方式が広く行われている。これは、無線受信信号と、無線受信信号の周波数と同じ値の局部発振周波数の信号と、を混合して無線受信信号の中心周波数ｆｏをゼロの周波数（ｆｏ＝０）に遷移させた中間周波数（ゼロＩＦ）を生成し、このゼロＩＦ信号から増幅して復調するものである。
【０００４】
図１４はゼロＩＦ方式の概念を示す図である。左図は無線受信信号のエネルギ分布、右図はゼロＩＦ信号のエネルギ分布を示している。横軸は周波数、縦軸は電力である。
【０００５】
１００ＭＨｚの無線受信信号は、ここでは、ｆｏ＝１００ＭＨｚを中心に、±１ＭＨｚの帯域幅を持つものとする。これを周波数変換して、ゼロＩＦ信号を生成すると、ｆｏ＝０ＭＨｚを中心に、±１ＭＨｚの帯域幅を持つ信号になる。
【０００６】
ゼロＩＦ方式は、中間周波数への暫定的変換をなくしていることになるため、無線受信信号をベースバンド信号に直接変換する。このため、チャネル選択フィルタがベースバンドで実現でき、また、スプリアス受信時に問題となるイメージ波が発生しない等の利点がある。
【０００７】
図１５は従来の無線受信装置の構成を示す図である。無線受信装置１００は、ゼロＩＦ方式を用いたＱＰＳＫ（Quadrature PSK) の受信器であり、ＱＰＳＫ変調波から、同相成分のＩ(In phase)信号と直交成分のＱ(Quardrature phase) 信号を生成するために、２つの系統に回路が分かれている。
【０００８】
無線受信装置１００は、ＲＦＡ（無線周波数増幅器）１０１と周波数変換器１１０を含む。周波数変換器１１０は、ＬＯ（ローカルオシレータ）１１１、π／２移相器１１２、ミキサ１１３ａ、１１３ｂで構成される。
【０００９】
周波数変換器１１０の出力後のＩ信号生成系統は、ＬＰＦ（ローパスフィルタ）１０２ａ、ＡＭＰ（増幅器）１０３ａ、結合器（キャパシタ）１０４ａ、１０６ａ、ＶＧＣ（電圧ゲイン制御器）１０５ａ、Ａ／Ｄ変換器（アナログ／ディジタル変換器）１０７ａ、ＤＥＭ（復調器）１０８ａ、ＡＧＣ（自動利得制御器）１０９ａから構成される。
【００１０】
同様に、Ｑ信号生成系統は、ＬＰＦ１０２ｂ、ＡＭＰ１０３ｂ、結合器１０４ｂ、１０６ｂ、ＶＧＣ１０５ｂ、Ａ／Ｄ変換器１０７ｂ、ＤＥＭ１０８ｂ、ＡＧＣ１０９ｂから構成される。
【００１１】
動作としては、ＲＦＡ１０１は、無線受信信号を増幅する。また、周波数変換器１１０のＬＯ１１１は、無線受信信号と同じ値の周波数の信号を発振している。Ｉ信号生成系統では、ＲＦＡ１０１による増幅後の信号と、ＬＯ１１１からの局部発振信号とをミキサ１１３ａでミキシングして、ゼロＩＦ信号を出力する。
【００１２】
その後、ＬＰＦ１０２ａ、ＡＭＰ１０３ａで低雑音かつ高利得で出力されて、結合器１０４ａで直流分がカットされる。そして、ＶＧＣ１０５ａでＡ／Ｄ変換器１０７ａのダイナミックレンジに合わせたレベルに、信号の電圧ゲインが設定された後、結合器１０６ａでさらに残った直流分がカットされる。
【００１３】
そして、Ａ／Ｄ変換器１０７ａでディジタル信号に変換され、ＤＥＭ１０８ａで復調されてＩ信号が生成する。また、ＶＧＣ１０５ａの電圧ゲインのレベル設定は、ＡＧＣ１０９ａからのフィードバック制御により調整される。
【００１４】
一方、Ｑ信号生成系統では、ＬＯ１１１からの発振周波数は、π／２移相器１１２でπ／２移相される。そして、ＲＦＡ１０１で増幅された増幅信号と、π／２移相した発振信号とが、ミキサ１１３ｂでミキシングされてゼロＩＦ信号が生成する。以降、Ｉ信号の生成系統と同様な処理が行われてＱ信号が生成する。
【００１５】
ここで、結合器１０４ａ、１０４ｂを用いずに、ＡＭＰ１０３ａ、１０３ｂで増幅されたゼロＩＦ信号を、そのままＶＧＣ１０５ａ、１０５ｂへ入力することはできない。
【００１６】
なぜなら、ＶＧＣ１０５ａ、１０５ｂの増幅度は、数μＶから数Ｖに増幅するため、１００万倍（１２０ｄＢ）程度は必要になる。このため、受信電界強度の変動、温度変化等の環境条件の変動または非線形素子によるばらつき等の原因により生じる、動作点のわずかな数μＶのずれが、遮断または飽和を引き起こしてしまい、ＡＧＣ１０９ａ、１０９ｂによって、このような状態が再び帰還されることにより、さらに大きな動作点の移動が生じることになるからである。
【００１７】
したがって、無線受信装置１００では、ＡＭＰ１０３ａ、１０３ｂの出力以降では、結合器１０４ａ、１０４ｂ、１０６ａ、１０６ｂを用いてＤＣカットを行って、後段の処理部に対してＡＣ結合で接続している。
【００１８】
しかし、上記のような従来の無線受信装置１００のＡＣ結合では、上述のＤＣ的変動を抑えるために、ゼロＩＦ信号のＤＣ成分はできるだけカットしたいが、ゼロＩＦ信号の周波数ゼロ及びその近傍は多くの情報量を持つため、後段の処理部に取り込みたいという問題があり、最適設計が非常に困難であった。
【００１９】
すなわち、遮断周波数を低くすると、上述のようにＤＣ的変動に弱くなるため、できるだけ遮断周波数を高く設計する必要がある。ところが、遮断周波数が高くなると、低周波成分のエネルギの欠落が大きくなるので、必要な情報量が失われてしまうといった問題があった。
【００２０】
発明の開示
本発明はこのような点に鑑みてなされたものであり、遮断周波数を高くし、かつ低周波成分の抑圧を防止して、無線信号の高品質な受信制御を行う無線受信装置を提供することを目的とする。
【００２１】
また、本発明の他の目的は、遮断周波数を高くし、かつ低周波成分の抑圧を防止して、無線信号の高品質な通信制御を行う無線通信システムを提供することである。
【００２２】
本発明では上記課題を解決するために、図１に示すような、無線信号の受信制御を行う無線受信装置１において、受信した無線信号を増幅し、増幅信号を生成する無線信号増幅手段１１と、局部発振信号と、増幅信号とをミキシングして、無線信号を無線周波数から中間周波数へ変換し、中間周波信号を生成する周波数変換手段２０と、中間周波信号の低周波側を周波数帯の上方へ、かつ高周波側を周波数帯の下方へ反転する周波数反転制御手段３２を含み、中間周波信号の周波数制御を行う周波数制御手段３０と、周波数制御手段３０からの出力側に設けられる。ＡＣ結合手段４０と、ＡＣ結合手段４０からの出力信号を復調する無線信号復調手段５０と、を有することを特徴とする無線受信装置１が提供される。
【００２３】
ここで、無線信号増幅手段１１は、受信した無線信号を増幅し、増幅信号を生成する。周波数変換手段２０は、局部発振信号と、増幅信号とをミキシングして、無線信号を無線周波数から中間周波数へ変換し、中間周波信号を生成する。周波数反転制御手段３２は、中間周波信号の低周波側を周波数帯の上方へ、かつ高周波側を周波数帯の下方へ反転する。ＡＣ結合手段４０は、周波数制御手段３０からの出力側に設けられる。無線信号復調手段５０は、ＡＣ結合手段４０からの出力信号を復調する。
【００２４】
本発明の上記および他の目的、特徴および利点は本発明の例として好ましい実施の形態を表す添付の図面と関連した以下の説明により明らかになるであろう。
【００２５】
発明を実施するための最良の形態
以下、本発明の実施の形態を図面を参照して説明する。図１は無線受信装置の原理図である。無線受信装置１は、無線信号の受信制御を行う。
【００２６】
無線信号増幅手段１１は、受信した無線信号を増幅し、増幅信号を生成する。周波数変換手段２０は、ＬＯ（ローカルオシレータ）２０−１と、ミキサ２０−２とから構成される。
【００２７】
ミキサ２０−２は、無線信号増幅手段１１による増幅後の信号と、ＬＯ２０−１からの局部発振信号とをミキシングして、無線信号を無線周波数から中間周波数へ変換し、中間周波信号を生成する。
【００２８】
なお、中間周波信号として、図１４で上述したようなゼロＩＦ信号を対象に処理を行うものとして以降説明する（図１では周波数ａの無線信号をゼロＩＦ信号に変換している）。したがって、ＬＯ２０−１は、受信した無線信号と同じ値の周波数の信号を発振する。
【００２９】
周波数制御手段３０は、周波数シフト制御手段３１と周波数反転制御手段３２との少なくとも一方を含み、ゼロＩＦ信号の周波数制御を行う。周波数シフト制御手段３１は、ゼロＩＦ信号を周波数帯の上方へシフトして、周波数シフト信号を生成する。周波数反転制御手段３２は、シフト後のゼロＩＦ信号の低周波側を周波数帯の上方へ、かつ高周波側を周波数帯の下方へ反転して、周波数反転信号を生成する。詳細は図２〜図５で後述する。
【００３０】
したがって、周波数制御手段３０からの出力信号は、周波数シフト信号、周波数反転信号、または周波数シフト制御と周波数反転制御の両方を行って生成した周波数シフト／反転信号のいずれかである。また、これら３つの信号の少なくとも１つである、周波数制御手段３０からの出力信号を総称する場合には、以降では周波数制御信号と呼ぶ。
【００３１】
ＡＣ結合手段４０は、キャパシタＣであり、周波数制御信号のＤＣ成分を高い遮断周波数でカットし、後段へのＡＣ結合を行う。無線信号復調手段５０は、ＡＣ結合手段４０からの出力信号の電圧ゲインを適応的に設定した後、Ａ／Ｄ変換を行って復調する。
【００３２】
次に図２〜図５を用いて信号のエネルギ分布について説明する。図２はゼロＩＦ信号のエネルギ分布を示す図である。横軸は周波数、縦軸は電力である。
ゼロＩＦ信号は、ｆｏ＝０Ｈｚを中心に、上側へ＋１ＭＨｚの帯域幅を持つ信号とする。図からわかるように、ゼロＩＦ信号は、ＤＣとその近傍の低周波成分にエネルギが集中し、高周波数成分のエネルギは少ない。
【００３３】
したがって、このままの状態のゼロＩＦ信号を、ＡＣ結合手段４０に入力した場合、ＡＣ結合手段４０の遮断周波数は高く設定される必要があるので（上述したように、ＤＣ的変動を抑制するため）、低周波成分のエネルギの欠落が大きくなり、必要な情報量が失われてしまう。
【００３４】
図３は周波数シフト信号のエネルギ分布を示す図である。横軸は周波数、縦軸は電力である。周波数シフト信号は、ゼロＩＦ信号を、周波数帯の上方へΔｆ分シフトした信号である。なお、括弧内の値は、周波数制御を行う前の元の値を示している。
【００３５】
このように、図３では、ゼロＩＦ信号に周波数シフト制御を行うことにより、後段に配置されたＡＣ結合手段４０の遮断周波数を高い値にしても、ＡＣ結合でエネルギ部分が大きく欠落してしまうことがなくなる。これにより、ＡＣ結合手段４０にＤＣ的変動を抑制できる高遮断周波数を設定でき、かつ情報量の損失を最小限に抑えることが可能になる。
【００３６】
図４は周波数反転信号のエネルギ分布を示す図である。横軸は周波数、縦軸は電力である。周波数反転信号は、ゼロＩＦ信号を、ＤＣを含む低周波数側を周波数帯の上方へ、高周波数側を周波数帯の下方へ周波数を反転した信号である。なお、括弧内の値は、周波数制御を行う前の元の値を示している。
【００３７】
このように、図４では、ゼロＩＦ信号に周波数反転制御を行うことにより、後段に配置されたＡＣ結合手段４０の遮断周波数を高い値にしても、ＡＣ結合でエネルギ部分が大きく欠落してしまうことがなくなる。これにより、ＡＣ結合手段４０にＤＣ的変動を抑制できる高遮断周波数を設定でき、かつ情報量の損失を最小限に抑えることが可能になる。
【００３８】
図５は周波数シフト／反転信号のエネルギ分布を示す図である。横軸は周波数、縦軸は電力である。ゼロＩＦ信号を、周波数帯の上方へΔｆ分シフトし、かつＤＣを含む低周波数側を周波数帯の上方へ、かつ高周波数側を周波数帯の下方へ周波数を反転した信号である。なお、括弧内の値は、周波数制御を行う前の元の値を示している。
【００３９】
このように、図５では周波数シフト制御と周波数反転制御を組み合わせて行うことにより、後段に配置されたＡＣ結合手段４０の遮断周波数を高い値にしても、ＡＣ結合でエネルギ部分が大きく欠落してしまうことがなくなる。これにより、ＡＣ結合手段４０にＤＣ的変動を抑制できる高遮断周波数を設定でき、かつ情報量の損失を最小限に抑えることが可能になる。
【００４０】
次に無線受信装置１の構成について説明する。図６は無線受信装置１の構成を示す図である。無線受信装置１は、ゼロＩＦ方式を用いたＱＰＳＫの受信器であり、ＱＰＳＫ変調波から、同相成分のＩ信号と直交成分のＱ信号を生成するために、２つの系統に回路が分かれている。
【００４１】
無線受信装置１は、無線信号増幅手段１１と周波数変換手段２０を含む。周波数変換手段２０は、ＬＯ２１、π／２移相器２２、ミキサ２３ａ、２３ｂで構成される。
【００４２】
周波数変換手段２０の出力後のＩ信号生成系統は、ＬＰＦ（ローパスフィルタ）１２ａ、ＡＭＰ（増幅器）１３ａ、周波数制御手段３０ａ、ＡＣ結合手段４１ａ、４２ａ、ＶＧＣ（電圧ゲイン制御器）５１ａ、Ａ／Ｄ変換器（アナログ／ディジタル変換器）５２ａ、ＤＥＭ（復調器）５３ａ、ＡＧＣ（自動利得制御器）５４ａから構成される。なお、ＶＧＣ５１ａ、Ａ／Ｄ変換器５２ａ、ＤＥＭ５３ａ、ＡＧＣ５４ａは、無線信号復調手段５０に含まれる。
【００４３】
同様に、Ｑ信号生成系統は、ＬＰＦ１２ｂ、ＡＭＰ１３ｂ、周波数制御手段３０ｂ、ＡＣ結合手段４１ｂ、４２ｂ、ＶＧＣ５１ｂ、Ａ／Ｄ変換器５２ｂ、ＤＥＭ５３ｂ、ＡＧＣ５４ｂから構成される。なお、ＶＧＣ５１ｂ、Ａ／Ｄ変換器５２ｂ、ＤＥＭ５３ｂ、ＡＧＣ５４ｂは、無線信号復調手段５０に含まれる。
【００４４】
動作としては、無線信号増幅手段１１は、受信した無線信号を増幅する。また、周波数変換手段２０のＬＯ２１は、無線信号と同じ値の周波数の信号を発振している。Ｉ信号生成系統では、無線信号増幅手段１１による増幅後の信号と、ＬＯ２１からの発振信号とをミキサ２３ａでミキシングして、ゼロＩＦ信号を出力する。
【００４５】
その後、ＬＰＦ１２ａ、ＡＭＰ１３ａで低雑音かつ高利得で出力されて、周波数制御手段３０ａで周波数制御が施されて周波数制御信号が生成する。ＡＣ結合手段４１ａは、周波数制御信号のＤＣ分をカットする。そして、ＶＧＣ５１ａでＡ／Ｄ変換器５２ａのダイナミックレンジに合わせたレベルに、周波数制御信号の電圧ゲインが設定された後、ＡＣ結合手段４２ａでさらに残ったＤＣ分がカットされる。
【００４６】
そして、Ａ／Ｄ変換器５２ａで周波数制御信号はディジタル信号に変換され、ＤＥＭ５３ａで復調されてＩ信号が生成する。また、ＶＧＣ５１ａの電圧ゲインのレベル設定は、ＡＧＣ５４ａからのフィードバック制御により調整される。
【００４７】
一方、Ｑ信号生成系統では、ＬＯ２１からの発振周波数は、π／２移相器２２でπ／２移相される。そして、無線信号増幅手段１１で増幅された増幅信号と、π／２移相した発振信号が、ミキサ２３ｂでミキシングされてゼロＩＦ信号が生成する。以降、Ｉ信号の生成系統と同様な処理が行われてＱ信号が生成する。
【００４８】
なお、ＡＣ結合手段４１ａ、４１ｂ、４２ａ、４２ｂの時定数は、図１５で上述した従来の無線受信装置１００の結合器１０４ａ、１０４ｂ、１０６ａ、１０６ｂの時定数よりも小さく（遮断周波数を高く）設定されている。
【００４９】
次に周波数反転制御手段３２について説明する。図７は周波数反転制御手段３２の構成を示す図であり、図８は周波数反転制御手段３２の各波形を示す図である。周波数反転制御手段３２は、ＤＢＭ（Double Balanced Mixer ：二重平衡混合器）３２−１ａとＬＯ３２−１ｂとから構成される周波数反転器３２−１と、低域通過フィルタ３２−２と、位相補償器３２−３とから構成される。
【００５０】
ＤＢＭ３２−１ａは、トランスＴ１、Ｔ２と、ダイオードＤ１〜Ｄ４とから構成される。トランスＴ１はコイルＬ１、Ｌ２から構成され、トランスＴ２はコイルＬ３、Ｌ４から構成される。
【００５１】
コイルＬ１の両端子からゼロＩＦ信号が入力する。ダイオードＤ１のアノードは、ダイオードＤ２のカソードとコイルＬ２の一端と接続し、ダイオードＤ１のカソードは、ダイオードＤ３のアノードとコイルＬ３の一端と接続する。
【００５２】
ダイオードＤ４のアノードは、ダイオードＤ３のカソードとコイルＬ２の他端と接続し、ダイオードＤ４のカソードは、ダイオードＤ２のアノードとコイルＬ３の他端と接続する。
【００５３】
また、コイルＬ２、Ｌ３の中点にＬＯ３２−１ｂが接続する。そして、コイルＬ１の両端に入力端子が接続し、コイルＬ４の両端には、低域通過フィルタ３２−２の入力部が接続し、低域通過フィルタ３２−２の出力部は、位相補償器３２−３に接続する。そして、位相補償器３２−３から周波数反転信号６ｃが出力する。
【００５４】
信号の流れについて説明する。まず、ＤＢＭ３２−１ａにゼロＩＦ信号６が入力する。ゼロＩＦ信号６は、中心周波数が０で上方へ１ＭＨｚの帯域を持つ信号とする。
【００５５】
ＤＢＭ３２−１ａは、ゼロＩＦ信号６を周波数反転して、両側波信号６ａを出力する。低域通過フィルタ３２−２は、両側波信号６ａの１ＭＨｚより上方の部分をカットして、０Ｈｚから１ＭＨｚの帯域を持つ低域通過信号６ｂを出力する。位相補償器３２−３は、低域通過信号６ｂの波形整形を行って、周波数反転信号６ｃを出力する。
【００５６】
なお、上記の説明では、周波数反転器３２−１内にＤＢＭ３２−１ａを用いたが、バランスしないミキサやシングル・バランスド・ミキサを用いることも可能である。ただし、この場合にはフィルタを設けて、バランスされずに出力側にでてきた成分を除去する必要がある。一方、低域通過フィルタ３２−２は、遮断周波数における傾きがゼロである矩形フィルタや、遮断周波数における傾きがゼロでない傾斜フィルタが用いられる。
【００５７】
図９は矩形フィルタと傾斜フィルタの周波数特性を示す図である。横軸は周波数、縦軸は電力である。矩形フィルタ３２−２ａは、ＤＳＰ（ディジタル・シグナル・プロセッサ）等で構成したディジタルフィルタであり、遮断周波数ｆｃで傾きが０のフィルタである。傾斜フィルタ３２−２ｂは、ＬＣ等で構成したアナログフィルタであり、遮断周波数ｆｃで傾き（≠０）を持つフィルタである。
【００５８】
次に周波数シフト制御手段３１について説明する。図１０は周波数シフト制御手段３１の構成を示す図である。周波数シフト制御手段３１は、直交成分生成器３１−１と無限位相器３１−２から構成される。
【００５９】
直交成分生成器３１−１は、ＤＢＭ３１１、３１２と、ＬＰＦ３１３、３１４と、π／２移相器３１５と、ＬＯ３１６とから構成される。無限移相器３１−２は、ＤＢＭ３２１、３２２と、π／２移相器３２３と、ＬＯ３２４と、合成器３２５とから構成される。
【００６０】
ここで、ＤＢＭ３１１に入力するゼロＩＦ信号をｃｏｓωｔと表す。また、ＬＯ３１６の局部発振周波数をω1として、発振信号をｃｏｓω1ｔ、ＬＯ３２４の局部発振周波数をω2として、発振信号をｃｏｓω2ｔと表す。ただし、ω2＞ω1である。
【００６１】
ＤＢＭ３１１の出力Ａ１は、
【００６２】
【数１】
Ａ１＝ｃｏｓ（ω1＋ω）ｔ＋ｃｏｓ（ω1−ω）ｔ    …（１）
であり、ＬＰＦ３１３の通過後の信号Ａ１ａは、
【００６３】
【数２】
Ａ１ａ＝ｃｏｓ（ω1−ω）ｔ    …（２）
である。また、ＤＢＭ３２１の出力Ａ１ｂは、
【００６４】
【数３】
Ａ１ｂ＝ｃｏｓ（ω1−ω）ｔ・ｃｏｓω2ｔ
＝（１／２）・（ｃｏｓ（ω2＋ω1−ω）ｔ＋ｃｏｓ（ω2−ω1＋ω）ｔ）
…（３）
となる。一方、ＤＢＭ３１２の出力Ａ２は、
【００６５】
【数４】
Ａ２＝ｃｏｓ（ω1＋ω）ｔ＋ｓｉｎ（ω1−ω）ｔ    …（４）
であり、ＬＰＦ３１４の通過後の信号Ａ２ａは、
【００６６】
【数５】
Ａ２ａ＝ｓｉｎ（ω1−ω）ｔ    …（５）
である。また、ＤＢＭ３２２の出力Ａ２ｂは、
【００６７】
【数６】
Ａ２ｂ＝ｓｉｎ（ω1−ω）ｔ・ｓｉｎω2ｔ
＝（−１／２）・（ｃｏｓ（ω2＋ω1−ω）ｔ−ｃｏｓ（ω2−ω1＋ω）ｔ）
…（６）
となる。そして、合成器３２５の出力Ａ３は、
【００６８】
【数７】
Ａ３＝Ａ１ｂ＋Ａ２ｂ
＝（１／２）・（ｃｏｓ（ω2＋ω1−ω）ｔ＋ｃｏｓ（ω2−ω1＋ω）ｔ）
＋（−１／２）・（ｃｏｓ（ω2＋ω1−ω）ｔ−ｃｏｓ（ω2−ω1＋ω）ｔ）
＝ｃｏｓ（（ω2−ω1）＋ω））ｔ    …（７）
以上説明したように、ｃｏｓωｔのゼロＩＦ信号は、周波数シフト制御手段３１により、周波数帯の上方へΔｆ＝（ω2−ω1）分シフトしたｃｏｓ（（ω2−ω1）＋ω）ｔの周波数シフト信号に変換される。
【００６９】
次に周波数シフト制御手段３１と周波数反転制御手段３２を組み合わせた際の構成及び各波形について説明する。図１１は周波数シフト制御手段３１と周波数反転制御手段３２を組み合わせた際の構成を示す図であり、図１２は各波形を示す図である。
【００７０】
周波数制御手段３０は、周波数シフト制御手段３１と周波数反転制御手段３２から構成される。周波数シフト制御手段３１は、直交成分生成器３１−１と無限移相器３１−２から構成され、周波数反転制御手段３２は、周波数反転器３２−１と低域通過フィルタ３２−２と位相補償器３２−３とから構成される。
【００７１】
ここで、周波数シフト制御手段３１にゼロＩＦ信号６が入力する。ゼロＩＦ信号６は、中心周波数が０で上方へ１ＭＨｚの帯域を持つ信号とする。
周波数シフト制御手段３１は、ゼロＩＦ信号６に周波数シフト制御を行って、周波数がΔｆ上方へシフトした周波数シフト信号６−１を出力する。そして、周波数シフト信号６−１は、周波数反転器３２−１へ入力する。周波数反転器３２−１は、周波数シフト信号６−１の反転処理を行って、両側波信号６−２を生成する。
【００７２】
両側波信号６−２は、低域通過フィルタ３２−２に入力する。低域通過フィルタ３２−２及び位相補償器３２−３は、両側波信号６−２の低域側を通過させ、かつ波形整形を行って、周波数シフト／反転信号６−３を出力する。なお、ここでは、周波数シフト、周波数反転の順でゼロＩＦ信号を処理したが、周波数反転、周波数シフトの順で処理しても構わない。
【００７３】
次に無線通信装置１を適用した無線通信システムについて説明する。図１３は無線通信システムの構成を示す図である。無線通信システム３００は、無線基地局３１０と移動通信機３２０から構成される。無線基地局３１０は、信号を変調して無線信号を送信する無線送信装置３１１と、無線受信装置３１２とを有する。移動通信機３２０は、信号を変調して無線信号を送信する無線送信装置３２１と、無線受信装置３２２とを有する。無線受信装置３１２、３２２は、無線通信装置１と同様の装置である。
【００７４】
このように、無線通信装置１を無線基地局３１０や移動通信機３２０の無線信号の受信部に設けることにより、高品質の通信制御を行うことが可能になる。なお、無線通信システム３００は、例えば、ＣＤＭＡ方式等各種の無線通信システムに該当する。
【００７５】
以上説明したように、無線受信装置１は、中間周波信号を周波数帯の上方へシフトする周波数シフト制御、または中間周波信号の低周波側を周波数帯の上方へ、かつ高周波側を周波数帯の下方へ反転する周波数反転制御、の少なくとも一方を行った後、ＤＣ成分を高遮断周波数でカットして復調する構成とした。
【００７６】
これにより、電界強度の変動下にあっても、ゼロＩＦ信号の遮断周波数を高く設定しているのでＤＣ的変動を抑制でき、かつゼロＩＦ信号の周波数ゼロ及びその近傍を確実に取り込んで復調することが可能になる。
【００７７】
なお、上記の説明では、各部の構成をアナログ的に記述したが、ＤＳＰ等を用いたディジタル構成で実現することが可能である。
以上説明したように、無線受信装置は、中間周波信号を周波数帯の上方へシフトする周波数シフト制御、または中間周波信号の低周波側を周波数帯の上方へ、かつ高周波側を周波数帯の下方へ反転する周波数反転制御、の少なくとも一方を行った後、ＤＣ成分を高遮断周波数でカットして復調する構成とした。これにより、遮断周波数を高くしても、低周波成分の抑圧を防止することができるので、無線信号の高品質な受信制御を行うことが可能になる。
【００７８】
また、無線通信システムは、中間周波信号を周波数帯の上方へシフトする周波数シフト制御、または中間周波信号の低周波側を周波数帯の上方へ、かつ高周波側を周波数帯の下方へ反転する周波数反転制御、の少なくとも一方を行った後、ＤＣ成分を高遮断周波数でカットして復調する構成とした。これにより、遮断周波数を高くしても、低周波成分の抑圧を防止することができるので、無線信号の高品質な受信制御を行うことが可能になる。
【００７９】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【図面の簡単な説明】
図１は無線受信装置の原理図である。
図２はゼロＩＦ信号のエネルギ分布を示す図である。
図３は周波数シフト信号のエネルギ分布を示す図である。
図４は周波数反転信号のエネルギ分布を示す図である。
図５は周波数シフト／反転信号のエネルギ分布を示す図である。
図６は無線受信装置の構成を示す図である。
図７は周波数反転制御手段の構成を示す図である。
図８は周波数反転制御手段の各波形を示す図である。
図９は矩形フィルタと傾斜フィルタの周波数特性を示す図である。
図１０は周波数シフト制御手段の構成を示す図である。
図１１は周波数シフト制御手段と周波数反転制御手段を組み合わせた際の構成を示す図である。
図１２は各波形を示す図である。
図１３は無線通信システムの構成を示す図である。
図１４はゼロＩＦ方式の概念を示す図である。
図１５は従来の無線受信装置の構成を示す図である。
【図１】
0004179782.tif 000002
【図２】
0004179782.tif 000003
【図３】
0004179782.tif 000004
【図４】
0004179782.tif 000005
【図５】
0004179782.tif 000006
【図６】
0004179782.tif 000007
【図７】
0004179782.tif 000008
【図８】
0004179782.tif 000009
【図９】
0004179782.tif 000010
【図１０】
0004179782.tif 000011
【図１１】
0004179782.tif 000012
【図１２】
0004179782.tif 000013
【図１３】
0004179782.tif 000014
【図１４】
0004179782.tif 000015
【図１５】
0004179782.tif 000016